(57)【要約】      （修正有）【課題】海上に流出される大量の流出油を迅速に回収するために、ローラ式の海上流出油回収機を提供すること。【解決手段】錆び付かない鋼鉄板と鋼鉄管を必要な大きさと形態に切り取り、互いに溶着して作った円筒状の構造物の表面に、柔軟性及び弾力性を有した毛を有するポリプロピレン樹脂製刷子板を作って取り付けた後、円筒状構造物の回転軸の両側にチェーンホイール５とボールベアリング装置６を取り付けて海上流出油回収船の船首９Ａに設け、発動機１１とモーター推進軸１２と連結して、発動機の稼動によりモーター推進軸を作動させ、減速ギヤ装置１３と連結された回転軸１５の両側に作って取り付けたチェーンホイール５とチェーン５Ａの作用で連結されているローラ式の油類回収機を回転させ、海上流出油上を通り過ぎれば海上流出油を回収することができ、回収された流出油は回収油除去装置によって除去され、除去油収集タンク１０の内に収集する。【選択図】図５
2016088515.tif 000002
【特許請求の範囲】
【請求項１】
錆び付かない鋼鉄板１と鋼鉄管２を必要な大きさと形態に切り取り、互いに溶着して作った円筒状の構造物３の表面に、柔軟性及び弾力性を有した毛４Ａを有するポリプロピレン樹脂製刷子板４を作って取り付けた後、円筒状構造物３の回転軸２Ａの両側にチェーンホイール５とボールベアリング装置６を取り付けて海上流出油回収船の船首９Ａに設け、発動機１１とモーター推進軸１２と連結して、発動機の稼動によりモーター推進軸を作動させ、減速ギヤ装置１３と連結された回転軸１５の両側に作って取り付けたチェーンホイール５とチェーン５Ａの作用で連結されているローラ式の油類回収機７を回転させ、海上流出油１８上を通り過ぎれば海上流出油を回収することができ、
回収された流出油は回収油除去装置８によって除去され、除去油収集タンク１０の内に収集される
ことを特徴とするローラ式海上流出油回収機の製造方法。
【発明の詳細な説明】
【技術分野】
【０００１】
本発明は、海上流出油の迅速かつ簡便な回収のためのローラ式の回収機（ＲＯＬＬＥＲ  ＳＴＹＬＥ  ＲＥＭＯＶＥＲ）に関する。
【背景技術】
【０００２】
本発明は、海上に流出されてしまった流出油の回収に関する。当該分野の従来技術はこれまで全くなかったので、各種の大小の事故によって海上に流出されてしまった流出油の回収のための従来技術とは、流出油の拡散防止のためのオイルフェンス（ＯＩＬ  ＦＥＮＳＥ）の設置と、新聞紙などで流出油を一つずつ吸収処理するような原始的な方法しかなかった。
【０００３】
よって、今から１０数年前に、大韓民国忠清南都泰安沖の流出油事件のような全国を揺るがした大きな事故の発生時に、海岸に押し寄せた油を拭き出すために数万人の人が長期間に亘って動員されたと共に、流出油の汚染によって藻貝類の生産が不可能となっていたような莫大な被害も発生した。
【発明の概要】
【発明が解決しようとする課題】
【０００４】
本発明は、このような従来の問題点と方法を改善するために、海上に流出された流出油を迅速かつ簡便に回収するために、海水にも錆び付かない鋼鉄板（ＳＴＥＥＬ  ＰＬＡＴＥ）と鋼鉄管（ＳＴＥＥＬ  ＰＩＰＥ）を主な素材として作った円筒状の構造物に、海上流出油を汲み上げることができるように、新たに開発した歯ブラシ状の柔軟性及び弾力性のあるポリプロピレン樹脂製刷子板（ＰＯＬＹ  ＰＲＯＰＹＬＥＮＥ  ＲＥＳＩＮ  ＢＲＵＳＨ  ＰＬＡＴＥ）を作って取り付けた、世界初の画期的なローラ式の海上油類回収機（ＲＯＬＬＥＲ  ＳＴＹＬＥ  ＲＥＭＯＶＥＲ  ＦＯＲ  ＯＵＴＩＬＯＷＥＤ  ＯＩＬ）を提供することを課題とする。
【課題を解決するための手段】
【０００５】
本発明は、必要な厚さ及び大きさを有する、錆び付かない鋼鉄板（ＡＮＴＩ  ＲＵＳＴＳＴＥＥＬ  ＰＬＡＴＥ）と鋼鉄管（ＳＴＥＥＬ  ＰＩＰＥ）を、目的に合わせて必要な大きさ及び形態に切り取り、互い合わせて溶接及び取り付けて円筒状の構造物に作る第１の段階の作業と、新たに開発した歯ブラシ状のポリプロピレン樹脂製刷子板（ＰＯＬＹ  ＰＲＯＰＹＬＥＮＥＲＥ  ＳＩＮ  ＢＲＵＳＨ  ＰＬＡＴＥ）を別途に設けて、前記第１の段階の作業で作った円筒状の構造物の表面上に回して取り付ける第２の段階の作業と、第１の段階と第２の段階で作った円筒状の構造物の中心軸の両側にローラ式に回転できるようにチェーンホイール（ＣＨＡＩＮ  ＷＨＥＥＬ）とボールベアリング装置（ＢＡＬＬ  ＢＥＡＲＩＮＧ  ＥＱＵＩＰＭＥＮＴ）を取り付ける第３の段階の作業と、このように作られたものを油類回収船（ＷＩＴＨＤＲＡＷＡＬ  ＳＨＩＰ）の船首の両側に取り付けた上、回収油除去装置と除去された回収油収集タンク（ＷＩＴＨＤＲＡＷ  ＯＩＬ  ＧＡＴＨＥＲＩＮＧ  ＴＡＮＫ）などを作って取り付ける第４の段階の作業と、最後に、このように作られた各構造物がローラ式に回りながら本来の機能と目的を達成できるように動力を作る発動機（ＭＯＴＯＲ  ＥＮＧＩＮ）１１と、変速装置（ＴＲＡＮＳ  ＭＩＳＳＩＯＮ）１２とクラッチ（ＣＬＵＴＣＨ）１２Ａ、斜面歯車装置（ＢＥＶＥＬ  ＧＥＡＲ  ＥＱＵＩＰＭＥＮＴ）１３と減速ギヤ及び起動装置（ＲＥＤＵＣＴＩＯＮ  ＡＮＤ  ＭＯＶＩＬＩＴＹ  ＥＱＵＩＰＭＥＮＴ）１４、回転軸（ＡＸＩＳ  ＯＦ  ＲＯＴＡＴＩＯＮ）１５、及びユニバーサルジョイント（ＵＮＩＶＥＲＳＡＬ  ＪＯＩＮＴ）１６などを取り付けて設け、互いに連結する第４の段階の作業と、で構成されている。
【図面の簡単な説明】
【０００６】
【図１Ａ】図１は、本発明の制作過程と状態を示す図であり、図１Ａは、錆び付かない鋼鉄板（ＡＮＴＩ  ＲＵＳＴ  ＳＴＥＥＬ  ＰＬＡＴＥ）の円状の状態図
【図１Ｂ】錆び付かない鋼鉄管（ＡＮＴＩ  ＲＵＳＴ  ＳＴＥＥＬ  ＰＩＰＥ）の形態及び状態図
【図１Ｃ】錆び付かない厚い円状鋼鉄板の真ん中に孔を開けた状態図
【図１Ｄ】図１Ｃで孔を開けた２個の円状鋼鉄板に太い鋼鉄管を挟み込んで立てた状態図
【図１Ｅ】図１Ｄで立てた円状鋼鉄板の両側の間に１２個の細い鋼鉄管を回りながら横に溶接して取り付けた状態図
【図１Ｆ】図１Ｅで取り付けた鋼鉄管のような太さの６個の鋼鉄管を円状鋼鉄板の間に縦に回りながら溶接して取り付ける状態図
【図１Ｇ】図１Ｆで取り付けた鋼鉄板の上に５個の薄い鋼鉄板を縦に回りながら溶接して取り付けた状態図
【図１Ｈ】図１Ｇで取り付けた鋼鉄板の上に新たに開発した５個のポリプルロピレン樹脂製刷子板（Ｐ．Ｐ  ＲＥＳＩＮ  ＢＲＵＳＨ  ＰＬＡＴＥ）を縦に回りながら強力接着剤（ＡＤＨＥＳＩＶＥ  ＧＬＵＥ）で取り付けた状態図
【図２】図１の製作過程を通じて作られた円筒状の油類回収機をローラ式に回すための制作過程と状態を示す図であり、図２Ａは、円筒状の油類回収機の胴体７Ａの一側面にチェーンホイール（ＣＨＡＩＮ  ＷＨＥＥＬ）５とチェーン（ＣＨＡＩＮ）５Ａ、及びボールベアリング（ＢＡＬＬ  ＢＥＡＲＩＮＧ）６を取り付けた形態及び状態図
【図３Ａ】図２で作った円筒状の油類回収機の胴体７Ａを油類回収船９の前方に設けた後、回収された油類の除去のための回収油除去装置８を設けた形態及び状態の側面図
【図３Ｂ】同、正面図
【図４Ａ】図３で設けた油類回収機７をローラ式に作動させるための発動機機関（ＭＯＴＯＲ  ＥＮＧＩＮＥ）１１と変速装置（ＴＲＡＮＳ  ＭＩＳＳＩＯＮ  ＥＱＵＩＰＭＥＮＴ）１２及び減速ギヤ装置（ＳＰＥＥＤ  ＲＥＤＵＣＥＲ  ＥＱＵＩＰＭＥＮＴ）１３を設けた形態及び状態図
【図４Ｂ】同、斜視図
【図５】本発明の完成度であって、ローラ式の油類回収機７を油類回収船９に設けた形態及び状態図
【発明を実施するための最良の形態】
【０００７】
本発明の海上油類の回収のためのローラ式の油類回収機の製造方法について、添付した図面に基づいて説明する。
【０００８】
（１）第１の段階の作業
１）直径２，０００ｍ／ｍ×厚さ２０ｍ／ｍの大きさを有する、錆び付かない鋼鉄板１Ａの中心部に、直径５０ｍ／ｍの大きさを有する孔３を図１Ｃに示すように開ける。
【０００９】
２）外径５０ｍ／ｍ×内径４０ｍ／ｍ×長さ５，１００ｍ／ｍの大きさを有する、錆び付かない鋼鉄管２Ａの両末端を、図１Ｄに示すように、前記１）の作業で開けた錆び付かない鋼鉄板１Ａの両側の孔３に差し込み、中心軸として立体的に立てる。
【００１０】
３）外径１０ｍ／ｍ×内径６ｍ／ｍ×長さ５，０００ｍ／ｍの大きさを有する、錆び付かない１２個の鋼鉄管２Ｂを、前記２）の作業で立てた鋼鉄板１Ａの周縁の内側１５ｍ／ｍの地点に、図１Ｅに示すように回しながら当てて、溶接して取り付ける。
【００１１】
４）外径１０ｍ／ｍ×内径６ｍ／ｍ×長さ６，２２０ｍ／ｍの大きさを有する６個の鋼鉄管２Ｃを、前記３）の作業で鋼鉄板１Ａの内側に横に取り付けた鋼鉄管２Ａの上に、図１Ｆに示すように縦に回しながら当てて、溶接して取り付ける。
【００１２】
５）厚さ２ｍ／ｍ×幅１，０００ｍ／ｍ×長さ６，２４０ｍ／ｍの大きさを有する５個の鋼鉄板１Ｂを、前記４）の作業で取り付けた鋼鉄管２Ｃの上に、図１Ｇに示すように並んで回しながら当てて、溶接して取り付ける。
【００１３】
上記＜第１の段階＞の作業において明示された鋼鉄板や鋼鉄管の寸法（ＳＩＺＥ）は、意図するローラ式の海上流出油回収機の大型（直径３，０００ｍ／ｍ×長さ１０，０００ｍ／ｍ）と小型（直径２，０００ｍ／ｍ×長さ５，０００ｍ／ｍ）のうち、後者の小型を基準にした寸法である。
【００１４】
（２）第２の段階の作業
１）新たに開発した歯ブラシ状のポリプロピレン樹脂製刷子板（ＰＯＬＹ  ＰＲＯＰＹＬＥＮ  ＲＥＳＩＮ  ＢＲＵＳＨ  ＰＬＡＴＥ）４は、歯ブラシ状の弾力性のある毛で覆われているものであって、横１，０００ｍ／ｍ×縦６，２５０ｍ／ｍ×厚さ５ｍ／ｍ×毛の長さ１０ｍ／ｍの大きさを有するように５枚を作り、前記第１の段階の５）の作業で、図１Ｇに示すように作った上、図１Ｈに示すように並んで回しながら当てて、強力接着剤４Ｂとして取り付け、取り付けた継ぎ目は離れないようにグルーガン（ＧＬＵＥ  ＧＵＮ）で噴射して接合部の空間を埋めることで、離れることのないように堅く取り付ける。
【００１５】
このポリプロピレン樹脂製刷子板４は、日常で毎日使用している歯ブラシ（ＴＯＯＴＨＢＲＵＳＨ）からアイデア（ＩＤＥＡ）を受けたものであって、その毛（ＨＡＩＲ）は柔軟性を有するが、ごわごわしているので、いくら押したとしても再び回復する特性を有しており、本発明のローラ式の回収機で海上流出油を汲み上げた後、回収油除去用ローラ８Ａで圧搾して回収油を除去しても再び刷子板の毛４Ａが立ち上がるので、回り続けてその機能を発揮することができるという利点を有するため、この点に着目して活用することが本発明の核心技術である。
【００１６】
このＰ．Ｐ樹脂製刷子板４の製造技術と原理は、日常で使用している歯ブラシと大きさと形態、材質のみ異なっているだけであり、その原理と製造技術には殆ど差異がないが、発明者が直接に作るには製造機械や規模上に不可能であるので、やむを得ず専門の製造業者に依頼して作るしかない作業である。
【００１７】
（３）第３の段階の作業
１）前記第１の段階と第２の段階の作業で作った円筒状の油類回収機７をローラ式に回転させるために、厚さ５ｍ／ｍ×外径７０ｍ／ｍ×内径５０ｍ／ｍの大きさを有する２個のチェーンホイール５を作って油類回収機の両側の中心軸７Ｂに差し込み、油類回収機の両側の胴体７Ｂに、図２Ｂに示すように溶接して取り付けた後、厚さ１０ｍ／ｍ×長さ３，０００ｍ／ｍの大きさを有するチェーン５Ａを取り付ける。（さらに、第４の段階の３）の作業で設ける回転軸１５に溶接して取り付ける回転軸１５に、溶接して取り付けるチェーンホイール５と互いに連結する。）。
【００１８】
２）厚さ１０ｍ／ｍ×外径７０ｍ／ｍ×内径５０ｍ／ｍの大きさを有するボールベアリング６を厚さ１４ｍ／ｍ×高さ１００ｍ／ｍ×長さ２，０００ｍ／ｍの大きさを有するボールベアリング設置用保持台６Ａを錆び付かない鋼板で２個作り、図４Ａに示すように油類回収機の中心軸７Ｂに当てて取り付け、他方は油類回収船の両側の側軸７Ｂに、図４Ａに示すように取り付ける。
【００１９】
３）厚さ５ｍ／ｍ×幅１００ｍ／ｍの大きさを有する、錆び付かない鋼鉄板で直径１００ｍ／ｍの大きさを有する２個の円状鋼鉄板を作った後、真ん中の中心部に直径３０ｍ／ｍの大きさを有する孔をそれぞれ開け、厚さ５ｍ／ｍ×幅６．２８ｍ／ｍ×長さ５，０１０ｍ／ｍの大きさを有する、錆び付かない鋼鉄板で長い円筒を作り、前に作った円状鋼鉄板を両側に当てて溶接して取り付けることで回収油除去用ローラ８Ａを作った上、直径２０ｍ／ｍ×長さ５，０２０ｍ／ｍの大きさを有する鋼鉄管を差し込み、回収油除去用ローラの中心軸８Ｂに作る。
【００２０】
４）外径１００ｍ／ｍ×内径９０ｍ／ｍ×の長さ５，０００ｍ／ｍの大きさを有する１個の鋼鉄板を、前記２）で作った回収油除去用中心軸８Ａに差し込み、回収油除去ローラ８Ａを作る。
【００２１】
５）厚さ５ｍ／ｍ×幅５０ｍ／ｍ×長さ２５０ｍ／ｍの大きさを有する２個の鋼鉄板の前方５０ｍ／ｍの地点に、３０ｍ／ｍの大きさを有する回収油除去用ローラの中心軸に挿入用孔８Ｃをそれぞれ開けた上、後方２２０ｍ／ｍの地点と２４０ｍ／ｍの地点に、５ｍ／ｍの大きさを有する付着用ネジ孔をそれぞれ１つずつ開けて、前方の中心軸挿入孔８Ｃの内に回収油除去用ローラ８Ａを差し込んだ上、回線の船首部分９Ａに、図３Ａに示すように円筒状の油類回収機７の後方にくっつけて、ｐ．ｐ樹脂製刷子板の毛４Ａに付いてきた回収を絞って除去できるように取り付ける。
【００２２】
６）厚さ５ｍ／ｍ×横５，０１０ｍ／ｍ×長さ２００ｍ／ｍの大きさを有する鋼鉄板に、上方と下方の真ん中の部分のみ除外した残りの両側の周縁部のみを２０ｍ／ｍの高さで凹状に曲げ、突起８Ｅが付いている除去油回収用皿８Ｄを作り、図３Ａに示すようにローラ式の油類回収機７Ａと回収油除去用ローラ８Ａの下方の間に、正面では図３Ｂに示すように回収油除去用ローラ８Ａの後方にくっつけて、除去油回収用皿の突起８Ｅを流出油収集タンクの両側壁１０Ａに当てて、溶接して取り付ける。
【００２３】
７）厚さ５ｍ／ｍ×横１，２００ｍ／ｍ×縦２，４００ｍ／ｍの大きさを有する、錆び付かない鋼鉄板（規格品）を当て続け、横５，０１０ｍ／ｍ×縦１０，０００ｍ／ｍ×高さ２，０００ｍ／ｍの大きさを有する回収油収集タンク１０を海上流出油回収船９の船内に、前記５）の作業で作った回収油除去装置８の下方に作って設けた後、除去油回収用皿８Ｄを、図３Ａに示すように当てて、皿の両側の突起８Ｅを回収油収集タンクの両側壁１０Ａに当てて、溶接して取り付ける。
【００２４】
（４）第４の段階の作業
１）前記第１の段階と第２の段階の作業で作った円筒状のローラ式の油類回収機７を作動させるためには、自動車と同じ原理の動力と、これと連結された様々な設備、即ち、発動機機関１１をはじめ、変速装置１２、減速ギヤ装置１３、推進軸１４、回転軸１５、ユニバーサルジョイント１６などが必要である。
【００２５】
２）このような設備品は、発明者が直接に作ることができないので、専門的な自動車付属品の製造工場や付属品販売業者から購入して、海上油類回収船９の内に、図４Ａに示すように順に設ける。
【００２６】
３）その後、前記第３の段階の１）の作業で作った油類回収機の胴体中心軸７Ｂに取り付けたチェーンホイール５と同じ大きさを有するチェーンホイール５を、前記２）で設けた回転軸１５の両側の周縁に差し込み、溶接して取り付けた後、油類回収機の中心軸７Ｂに取り付けたチェーンホイール５と、回転軸１５の周縁に取り付けたチェーンホイール５をチェーン５Ａで、図５Ａに示すように互いに連結し、仕上げて完成する。
【産業上の利用可能性】
【００２７】
上記のように作られたローラ式の海上流出油回収機７は、錆び付かない鋼鉄板１と鋼鉄管２を主な素材とし、ポリプロピレン樹脂（ＰＯＬＹ  ＰＲＯＰＹＬＥＮＥＲＥ  ＳＩＮ）で作った刷子板（ＢＲＵＳＨ  ＰＬＡＴＥ）３で構成されているので、海水にも錆び付くか腐食されることはなく、丈夫で強く、半永久的に使用できると共に、操作が簡単かつ便利であるので、海上流出油回収船の船首９Ａに設けた上、船を運転して海上流出油１８上を通り過ぎれば、引き続き簡単な海上流出油の回収が可能になるという利点がある。
【００２８】
特に、ポリプロピレン樹脂製刷子板３は、これまではなかった世界初の画期的な新しいアイデア（ＩＤＥＡ）の発明品であって、初めて付けられた名前で作られたものであり、日常で使用されている歯ブラシ（ＴＯＯＴＨ  ＢＲＵＳＨ）のように柔軟性及び弾力性のある長さ１０ｍ／ｍの大きさを有する毛（ＨＡＩＲ）３Ａで粗密に覆われている、横５，０００ｍ／ｍ×縦６，２８０ｍ／ｍ×高さ１５ｍ／ｍの大きさを有する刷子板であって、ローラ式（ＲＯＬＬＥＲ  ＳＴＹＬＥ）になっているので、一度に広範囲の流出油を連続的に回収できると共に、刷子板の毛３Ａは歯ブラシのような特性を有するので、いくら押されても再び回復するので、回収油除去装置８によって押されても刷子板の毛に付いてきた回収油のみが除去されるだけであり、毛は再びすぐ立ち上がるので、また新たな流出油を回収できる機能を発揮することができるので、世界的によく発生している海上流出油事故に備えて、国内需要だけでなく、海外諸国にも輸出して、外貨獲得と国威発揚に寄与できるという一石二鳥の効果がある。
【符号の説明】
【００２９】
１  錆び付かない鋼鉄板（ＡＮＴＩ  ＲＵＳＴ  ＳＴＥＡＬ  ＰＬＡＴＥ）
１Ａ  錆び付かない厚い円状鋼鉄板（ＡＮＴＩ  ＲＵＳＴ  ＴＡＩＣＫ  ＲＯＵＮＤ  ＳＴＥＥＬ  ＰＬＡＴＥ）
１Ｂ  錆び付かない薄い鋼鉄板（ＡＮＴＩ  ＲＵＳＴ  ＴＨＩＮ  ＳＴＥＥＬ  ＰＬＡＴＥ）
２  錆び付かない鋼鉄管（ＡＮＴＩ  ＲＵＳＴ  ＳＴＥＥＬ  ＰＩＰＥ）
２Ａ  錆び付かない太い鋼鉄管（ＡＮＴＩ  ＲＵＳＴ  ＢＩＧ  ＳＴＥＥＬ  ＰＩＰＥ）
２Ｂ  錆び付かない細い鋼鉄管（ＡＮＴＩ  ＲＵＳＴ  ＳＬＥＮＤＥＲ  ＰＩＰＥ）
２Ｃ  錆び付かない細くて長い鋼鉄管（ＡＮＴＩ  ＲＵＳＴ  ＳＬＥＮＤＥＲ  ＬＯＮＧ  ＰＩＰＥ）
２Ｄ  錆び付かない厚い円状鋼鉄板に鋼鉄管を回りながら溶接して取り付けた地点（ＷＥＬＤ  ＳＴＩＣＫＩＮＧ  ＡＲＯＵＮＤ  ＰＬＡＣＥ）
３  錆び付かない厚い円状鋼鉄板の中心に開けた孔（ＰＩＥＲＣＥＤ  ＨＯＬＥ  ＩＮ  ＴＨＥ  ＡＮＴＩ  ＲＵＳＴ  ＴＨＩＣＫ  ＲＯＵＮＤ  ＳＴＥＥＬ  ＰＬＡＴＥ）
４  ポリプロピレン樹脂製刷子板（ＰＯＬＹ  ＰＲＯＰＨＹＬＥＮＥ  ＲＥＳＩＮ  ＢＲＵＳＨ  ＰＬＡＴＥ）
４Ａ  ポリプロピレン樹脂製刷子板の毛（ＨＡＩＲＳ  ＯＦ  ＴＨＥ  Ｐ．Ｐ．  ＲＥＳＩＮ  ＢＲＵＳＨ  ＰＬＡＴＥ）
４Ｂ  強力接着用膠（ＳＴＲＯＮＧ  ＡＤＨＥＳＩＶＥ  ＧＬＵＥ）
４Ｃ  接着用膠の射出機（ＧＬＵＥ  ＧＵＮ）
５  チェーン（ＣＨＡＩＮ  ＷＨＥＥＬ）
５Ａ  チェーン（ＣＨＡＩＮ）
６  ボールベアリング（ＢＡＬＬ  ＢＥＡＲＩＮＧ）
６Ａ  ボールベアリング設置用支持台（ＳＵＰＰＯＲＴＥＲ  ＦＯＲ  ＩＮＳＴＡＬＬ  ＢＡＬＬ  ＢＥＡＲＩＮＧ）
７  ローラ式の油類回収機（ＲＯＬＬＥＲ  ＳＴＹＬＥ  ＯＩＬ  ＲＥＭＯＶＥＲ）
７Ａ  ローラ式の油類回収機の胴体（ＴＲＵＮＫ  ＯＦ  ＴＨＥ  ＯＩＬ  ＲＥＭＯＶＥＲ）
７Ｂ  ローラ式の油類回収機の中心軸（ＡＸＩＳ  ＯＦ  ＴＨＥ  ＯＩＬ  ＲＥＭＯＶＥＲ）
７Ｃ  ローラ式の油類回収機設置用支持台（ＳＵＰＰＯＲＴＥＲ  ＦＯＲ  ＳＥＴ  ＵＰ  ＯＩＬ  ＲＥＭＯＶＥＲ）
８  回収油制御装置（ＳＥＰＡＲＡＴＥ  ＥＱＵＩＰＭＥＮＴ  ＯＦ  ＴＨＥ  ＣＯＬＬＥＣＴ  ＯＩＬ）
８Ａ  回収油除去用ローラ（ＲＯＬＬＥＲ  ＯＦ  ＴＨＥ  ＳＥＰＡＲＡＴＥ  ＦＯＲ  ＣＯＬＬＥＣＴ  ＯＩＬ）
８Ｂ  回収油除去用ローラの中心軸（ＡＸＩＳ  ＲＯＬＬＥＲ  ＯＦ  ＴＨＥ  ＳＥＰＡＲＡＴＯＲ  ＦＯＲ  ＣＯＬＬＥＣＴ  ＯＩＬ）
８Ｃ  回収油除去装置の設置用保持台（ＳＵＰＰＯＲＴＥＲ  ＯＦ  ＳＥＴ  ＵＰ  ＦＯＲ  ＣＯＬＬＥＣＴ  ＯＩＬ  ＳＥＰＡＲＡＴＯＲ）
８Ｄ  除去油回収用皿（ＣＯＬＬＥＣＴ  ＤＩＳＨ  ＦＯＲ  ＳＥＰＡＲＡＴＥＤ  ＯＩＬ）
８Ｅ  除去油回収用皿の突起（ＳＩＬＬ  ＯＦ  ＴＨＥ  ＣＯＬＬＥＣＴ  ＤＩＳＨ）
９  海上流出油回収船（Ａ  ＳＨＩＰ  ＦＯＲ  ＷＩＴＨ  ＤＲＡＷＩＮＧ  ＯＩＬ）
９Ａ  海上流出油回収船の船首部分（ＦＯＲＥ  ＣＡＳＴＬＥ  ＰＡＲＴ  ＯＦ  ＴＨＥ  ＷＩＴＨＤＲＡＷＩＮＧ  ＯＩＬ  ＳＨＩＰ）
９Ｂ  海上流出油回収船の両側の側面（ＲＩＭ  ＯＦ  ＴＨＥ  ＷＩＴＨＤＲＡＷＩＮＧ  ＯＩＬ  ＳＨＩＰ）
９Ｃ  海上流出油回収船の船底部分（ＢＯＴＴＯＭ  ＯＦ  ＴＨＥ  ＷＩＴＨＤＲＡＷＩＮＧ  ＯＩＬ  ＳＨＩＰ）
１０  回収分離された流出油の収集タンク（ＧＡＴＨＥＲＩＮＧ  ＴＡＮＫ  ＦＯＲ  ＳＥＰＡＲＡＴＥＤ  ＯＩＬ）
１０Ａ  回収分離された流出油収集タンクの壁（ＷＡＬＬ  ＯＦ  ＴＨＥ  ＧＡＴＨＥＲＩＮＧ  ＴＡＮＫ  ＦＯＲ  ＳＥＰＡＴＥＤ  ＯＩＬ）
１０Ｂ  回収分離された流出油収集タンクの吸油板（ＳＵＣＴＩＯＮ  ＰＩＰＥ  ＯＦ  ＴＨＥ  ＧＡＴＨＥＲＩＮＧ  ＦＯＲ  ＳＥＰＡＲＡＴＥＤ  ＯＩＬ）
１１  発動機機関（ＭＯＴＯＲ  ＥＮＲＩＮＥ）
１２  変速装置（ＴＲＡＮＳＭＩＳＳＩＯＮ  ＥＱＵＩＰＭＥＮＴ）
１２Ａ  クラッチ装置（ＣＬＵＴＣＨ  ＥＱＵＩＰＭＥＮＴ）
１３  減速ギヤ装置（ＳＰＥＥＤ  ＲＥＤＵＣＥＲ  ＥＱＵＩＰＭＥＮＴ）
１３Ａ  雄斜面ギア（ＭＡＬＥ  ＢＥＶＥＬＧＥＡＲ）
１３Ｂ  雌斜面ギア（ＦＥＭＡＬＥ  ＢＥＶＥＬＧＥＡＲ）
１４  推進軸（ＡＸＩＳ  ＯＦ  ＰＲＯＰＥＬＬＩＮＧ  ＰＯＷＥＲ）
１５  回転軸（ＡＸＩＳ  ＯＦ  ＲＯＴＡＴＩＯＮ）
１５Ａ  回転軸の両末端に取り付けたチェーンホイール（ＣＨＡＩＮ  ＷＨＥＥＬ）
１６ｖユニバーサルジョイント（ＵＮＩＶＥＲＳＡＬ  ＪＯＩＮＴ）
１７  海水（ＳＥＡ  ＷＡＴＥＲ）
１８  海上流出油（ＯＵＴ  ＦＬＯＷ  ＯＩＬ  ＯＮ  ＴＨＥ  ＳＥＡ）
【図１Ａ】
2016088515.tif 000003
【図１Ｂ】
2016088515.tif 000004
【図１Ｃ】
2016088515.tif 000005
【図１Ｄ】
2016088515.tif 000006
【図１Ｅ】
2016088515.tif 000007
【図１Ｆ】
2016088515.tif 000008
【図１Ｇ】
2016088515.tif 000009
【図１Ｈ】
2016088515.tif 000010
【図２】
2016088515.tif 000011
【図３Ａ】
2016088515.tif 000012
【図３Ｂ】
2016088515.tif 000013
【図４Ａ】
2016088515.tif 000014
【図４Ｂ】
2016088515.tif 000015
【図５】
2016088515.tif 000016